(57)【要約】【課題】  人が歩いたとき、音が出て、観賞することができるとともに、防犯の効果が期待できるもので、庭の飛び石、玄関までのアプローチの舗石、門扉の床、ガーデニング用、テラスの床などにも使える、音の出るブロック体を提供することである。【解決手段】  焼き締められた陶器あるいは磁器製の棒状体を、一つの枠内に並べ、人の歩行によって力が加わり、隣接する棒状体同士が接触し合い、音を発生させる。特徴のある音が出るため防犯にも役に立つ。【選択図】  図４
2005220652.tif 000002
【特許請求の範囲】
【請求項１】
焼き締めによる陶器または磁器で作られた棒状体を、棒状体と同じ高さの枠の中に並べ、そのすき間は棒状体の幅より狭くすることを特徴とし、棒状体の上を歩行した時、足の動きが外力として加わり、棒状体が足の動きに同調して動き、その時枠が棒状体の動きを阻止するように働き、棒状体同士が接触することにより、音を発することを特徴とする音の出るブロック体。
【請求項２】
棒状体の長さを変える事により、発生する音に高低をつける事を特徴とする請求項１
で記載した音の出るブロック体。
【発明の詳細な説明】
【技術分野】
【０００１】
本発明は、焼成された陶器あるいは磁器が硬質な物にあたって振動した時、発生する音が澄んだ、快い音であることを利用し、陶土あるいは磁器土で棒状体を形成し、乾燥後、長時間、高温で焼成することによって、焼き締めによる陶器あるいは磁器製の棒状体を作り、この棒状体を同じ高さの枠内に並べ、ブロック体とする。この上を歩行した時、足の動きが外力となって加わり、棒状体どうしが接触し、そのことによって音が出るという特徴を持つ、歩行時に音の出るブロック体を作ることである。
【背景技術】
【０００２】
庭や通路など、人が歩行するところに配置する平面構成材としての飛び石や舗石、踏み石として、従来の技術では、ロードヒーティングの機能を持ったもの（特許文献１参照）、芝生用敷石（特許文献２、３参照）、電気配線用スペースを持った踏み石（特許文献４参照）位で、また音と関係する平面構成材を検索しても防音床材（特許文献５参照）、音響用タイル（特許文献６参照）などがある。
【０００３】
【特許文献１】特開平０６−１８０００３
【特許文献２】特開２００２−３３９３０２
【特許文献３】特開平１１−２４７１１０
【特許文献４】特開平９−１７７０１０
【特許文献５】特開昭６１−１６９５６９
【特許文献６】特開平１−７６９１３
【発明の開示】
【発明が解決しようとする課題】
【０００４】
従来より使われてきた、飛び石や舗石、踏み石は、大きさ、形、色、材質等の要素を勘案して配置されてきた。しかし、飛び石や舗石、踏み石それ自体から音が出るといったような付加価値を持ったものはない。本発明の課題は、上を歩行した時、歩行する足の動きが外力として働き、音を発するという音の出るブロック体を作ることである。
【課題を解決するための手段】
【０００５】
本発明の棒状体は、焼き締めによる陶器または磁器で作り、棒状体と同じ位の高さの枠の中に、棒状体の幅よりも狭いすき間を持たせながら並べ、ブロック体とし、ブロック体の上を人が歩き、足の動きが外力として加わったとき、棒状体が移動し、隣り合う棒状体同士が相互に接触しあって音が出るようにし、歩行時に音の出るブロック体を作るという課題を解決する。
【発明の効果】
【０００６】
この音の出るブロック体の上を人が歩行したとき、歩行の足の動きによって、並べられた陶器あるいは磁器で作られたブロック体が相互に接触し合い、そのことによって、焼き締め陶器あるいは磁器の特有の音が発生する。
【０００７】
本発明によるブロック体から出る音は、ブロック体の長さを長くすることによって低い音を、短くすることによって高い音をと、音の高低を変えることができる。
【０００８】
本発明によるブロック体を設置することによってできる飛び石は、設置形態が多様で、
設置枠としてコンクリートによる施工をしてもよいし、煉瓦や枕木で枠を作って設置してもよく、またこの飛び石は、地表面と同一になる程度、土に埋めるだけで使用できる
ため、手軽に設置場所を移動することができ、ガーデニングにも利用でき、和風にも洋風にも調和する。
【０００９】
本発明による飛び石は、従来からの飛び石では全く考えられなかった、音を出すという特徴をもち、その音は、焼き締め陶器、あるいは磁器特有の澄んだ音で、砂利や小石の上を歩いたときの音とははっきり区別できることから、近付いてくる人を予期することができ、防犯効果がある。
【発明を実施するための最良の形態】
【００１０】
粘土または磁器土で図１のような形態のものを作り、乾燥させた後、高温で焼成して
焼き締めをし、棒状体Ａを作る。
【００１１】
図２のように、棒状体Ａを棒状体Ａと同じような高さの枠Ｂの中に、棒状体Ａの幅よりも狭いすき間になるように並べ、それをブロック体とする。ブロック体の断面図は図３のようになる。
【００１２】
ブロック体の上を歩行したとき、図４のように、歩行する足Ｃの動きが外力となって棒状体Ａにはたらき、棒状体Ａ同士接触し合い、音を発生させる。この原理を持つブロック体を、音の出るブロック体とする。
【００１３】
設置場所としてまず考えられるのは、庭園や庭に配置される飛び石としての使用である（図５参照）。歩行を予定する所に、本発明の音の出るブロック体（図２参照）を一つの飛び石として配置する。図５のように、ブロック体を飛び石として点々と歩行の予定コースに設置し、この飛び石の上を散策しながら踏み歩くとき、枠Ｂ内の棒状体Ａは図４の歩行する足Ｃと同様に、その動きにあわせてすき間の分だけ枠Ｂ内を移動し、隣り合う棒状体Ａが相互に接触し合い、そのことによって棒状体Ａから陶器や磁器の音が聞こえ、従来からの飛び石にはない趣を感じることができる。
【００１４】
図６のように、玄関へのアプローチ等の通路の舗石として使用することができる。棒状体Ａの枠Ｂは、セメントあるいは枕木等を敷設することで可能である。ブロック体から出る音の高低は、棒状体Ａの長さを長いもの、短いものと変えることによって、また棒状体Ａの芯の部分に穴をあけ、空洞のある棒状体とする方法等によって、低音、高音と変化させることが可能であり、そうすることによって歩行の過程で低音や高音の音の変化を楽しむことができ、また音の高低の変化により、より鮮明に人の接近を知ることができ、防犯効果が期待できる。
【００１５】
図７のように、門扉Ｄの階段の床部分に煉瓦等を使って、棒状体Ａの高さ位で、棒状体Ａを囲むように枠Ｂを作り、その中に棒状体Ａを並べることによってブロック体を構成し、門扉Ｄを出入りする時の足の動きが外力となり、棒状体Ａが枠Ｂ内で移動し、隣り合う棒状体Ａどうしの接触が起き、音が発生する。階段部分にブロック体を設置するときは、棒状体Ａの上面に滑り止めのための溝を入れておく。
【００１６】
ガーデニングの庭（図８参照）やテラスの床（図９参照）などに、煉瓦やセメント等で枠Ｂを作り、舗石として棒状体Ａを並べることによって音の出る平面を作ることができる。この棒状体Ａを並べた平面の上にテーブルや椅子を置き、人が集まり、歓談するとき、足元の動きにあわせて陶器や磁器の音が発生し、また趣の違った憩いの時間を過ごすことができる。
【００１７】
図１０のように、勝手口等のドアＥの前の踏み石にセメント等で枠Ｂを作り、その内側に棒状体Ａを並べることによって、上を歩いたとき音が出る踏み石を設置することができる。棒状体Ａは同時に履物についた土を落とす泥落としの働きもし、たまった土は棒状体Ａを枠Ｂから取出した後、簡単に掃除することができる。
【図面の簡単な説明】
【００１８】
【図１】焼き締めによる陶器または磁器で作られた棒状体の斜視図
【図２】棒状体を並べ、音の出るブロック体として設置した時の斜視図
【図３】音の出るブロック体の断面図
【図４】音の出るブロック体を設置し、上を歩行した時の斜視図
【図５】庭の飛び石として設置した音の出るブロック体の平面図
【図６】玄関へのアプローチとして設置した音の出るブロック体の平面図
【図７】門扉の階段の床部分として設置した音の出るブロック体を示す斜視図
【図８】ガーデニング用として設置した音の出るブロック体の平面図
【図９】テラスの床として設置した音の出るブロック体の平面図
【図１０】勝手口などの出入口の踏み石として設置した音の出るブロック体の斜視              図
【符号の説明】
【００１９】
Ａ  棒状体
Ｂ  枠
Ｃ  歩行する足
Ｄ  門扉
Ｅ  ドア
【図１】
2005220652.tif 000003
【図２】
2005220652.tif 000004
【図３】
2005220652.tif 000005
【図４】
2005220652.tif 000006
【図５】
2005220652.tif 000007
【図６】
2005220652.tif 000008
【図７】
2005220652.tif 000009
【図８】
2005220652.tif 000010
【図９】
2005220652.tif 000011
【図１０】
2005220652.tif 000012